(57)【特許請求の範囲】
【請求項１】
補強壁の裏面側に取り付けられ、前記補強壁を構成するブロック間の継目に通されたボルトにネジ結合し、前記ボルトを介して足場ブラケット等を前記補強壁の表面側に固定する足場ブラケット等の固定用金物であって、
前記ボルトにネジ結合するナット部と、
前記ナット部が固定されたプレート部と、
前記プレート部の前記ナット部が固定された面とは反対側の面に起立して形成され、前記補強壁に取り付けられた際、前記ブロック間の継目に挿入されるフランジ部と、
を有し、
前記フランジ部は、ナット部の中心を通るようにほぼ一直線上に形成されており、
前記プレート部の幅は前記補強壁を構成するブロック間の継目の間隔よりも大きいことを特徴とする足場ブラケット等の固定用金物。
【請求項２】
請求項１記載の足場ブラケット等の固定用金物において、
前記フランジ部は、
前記プレート部側面に、Ｌ形部材の側面を溶接して取り付けることにより形成される、足場ブラケット等の固定用金物。
【発明の詳細な説明】
【技術分野】
【０００１】
本発明は、補強壁等に使用される足場ブラケット等の固定用金物に関する。
【背景技術】
【０００２】
従来の足場ブラケット等の固定用金物として、例えば、コンクリート版またはコンクリートブロック（以下、単にブロックと略す。）を積み重ねて補強壁を構築した後、その頂部に場所打ちコンクリート笠石を設けるため、補強壁の上部において、積み重ねたブロックの継目６２（ジョイント部）の隙間に壁面側から取付用金具のフックプレートを挿入し、フックプレート先端の係合凹欠部を、ブロック中の連結軸（鉄筋）に係合させ、仮設足場等の足場ブラケット等を補強壁に固定する方法がある（例えば、特許文献１参照。）。
【先行技術文献】
【特許文献】
【０００３】
【特許文献１】実公平６−２９３５６号公報
【発明の概要】
【発明が解決しようとする課題】
【０００４】
しかし、背景技術のものでは、フックプレート先端の係合凹欠部をブロック中の連結軸（鉄筋）に係合させて、足場ブラケット等を補強壁に固定するため、足場ブラケット等を固定する位置がブロック中の連結軸の位置により制限される、という課題があった。
【０００５】
そこで、本発明は、ブロック中の連結軸を用いることなく、足場ブラケット等を補強壁に固定できる、足場ブラケット等の固定用金物を提供することを目的とする。
【課題を解決するための手段】
【０００６】
前記課題を解決するため、本発明の足場ブラケット等の固定用金物は、補強壁の裏面側に取り付けられ、前記補強壁を構成するブロック間の継目に通されたボルトにネジ結合し、前記ボルトを介して足場ブラケット等を前記補強壁の表面側に固定する足場ブラケット等の固定用金物であって、前記ボルトにネジ結合するナット部と、前記ナット部が固定されたプレート部と、前記プレート部の前記ナット部が固定された面とは反対側の面に起立して形成され、前記補強壁に取り付けられた際、前記ブロック間の継目に挿入されるフランジ部と、を有し、前記フランジ部は、ナット部の中心を通るようにほぼ一直線上に形成されており、前記プレート部の幅は前記補強壁を構成するブロック間の継目の間隔よりも大きいことを特徴とするものである。
ここで、前記足場ブラケット等の固定用金物において、前記フランジ部は、前記プレート部側面に、Ｌ形部材の側面を溶接して取り付けることにより形成される、足場ブラケット等の固定用金物としても良い。
【発明の効果】
【０００７】
本発明の足場ブラケット等の固定用金物によれば、補強壁を構成するブロック間の継目に通されたボルトにネジ結合するナット部と、ナット部が固定されたプレート部と、プレート部の前記ナット部が固定された面とは反対側の面に起立して形成され、補強壁に取り付けられた際、ブロック間の継目に挿入されるフランジ部とを有し、フランジ部はナット部の中心を通るようにほぼ一直線上に形成されており、プレート部の幅は補強壁を構成するブロック間の継目の間隔よりも大きいので、ブロック中の連結軸を用いることなく、プレート部を補強壁の壁面に当接させて足場ブラケット等を補強壁に固定できると共に、経時的なコンクリート板等の沈下により目地間隔が小さくなった場合でも、フランジ部が平板状でコンクリート板等の目地内に挿入されていることで本発明に係る固定用金物の存在がコンクリート板等の損壊の原因となることを防止できる。
【図面の簡単な説明】
【０００８】
【図１】実施形態１の足場ブラケット等の固定用金物の使用例を示す図である。
【図２】実施形態１の足場ブラケット等の固定用金物を示す斜視図である。
【図３】実施形態１の足場ブラケット等の固定用金物の正面図である。
【図４】実施形態１の足場ブラケット等の固定用金物の背面図である。
【図５】実施形態１の足場ブラケット等の固定用金物の側面図である。
【図６】実施形態１の足場ブラケット等の固定用金物の底面図である。
【図７】実施形態１の足場ブラケット等の固定用金物を、図上水平方向の継目に使用する場合の使用例を示す正面図である。
【図８】実施形態１の足場ブラケット等の固定用金物を、図上垂直方向の継目に使用する場合の使用例を示す正面図である。
【図９】実施形態１の足場ブラケット等の固定用金物におけるフランジ部の形成方法の一例を示す図である。
【図１０】実施形態２の足場ブラケット等の固定用金物を示す正面図である。
【図１１】実施形態３の足場ブラケット等の固定用金物を示す正面図である。
【図１２】（ａ），（ｂ）それぞれ、実施形態４の足場ブラケット等の固定用金物を示斜視図である。
【図１３】（ａ）〜（ｃ）それぞれ、実施形態５〜７の足場ブラケット等の固定用金物のフランジ部の形状の例を示す底面図である。
【発明を実施するための形態】
【０００９】
以下、本発明に係る足場ブラケット等の固定用金物の一実施形態を添付図面を参照しながら詳細に説明する。
【００１０】
図１は、実施形態１の足場ブラケット等の固定用金物の使用例を示す図である。
【００１１】
図1に示すように、実施形態１の足場用ブラケット１は、ダムの越流部や、高速道路、工業団地、さらには住宅地等の補強壁等の仮設（簡易）足場等に使用されるもので、水平材２と、取付材３と、斜材４及び手摺柱５等とを有し、補強壁６の表面側にボルト７により固定されている。なお、ここでは、説明の便宜上、足場用ブラケット１が設けられる補強壁６の面を表面側、その反対側の面を裏面側と呼ぶことにする。
【００１２】
補強壁６は、複数のブロック６１を組み上げて構成されている。足場用ブラケット１の取付材３を固定するボルト７は、ブロック６１間の継目６２の横目地に、補強壁６の表面側から裏面側に通されている。
【００１３】
そして、補強壁６の裏面側には、ネジ溝の形成されたボルト７先端が突出しており、その突出したボルト７先端に、実施形態１の足場用ブラケット等の固定用金物１０が通されネジ結合して、足場用ブラケット１を補強壁６の表面側に固定している。この場合、取付材３の上下２個所で固定しているが、上部１個でもよい。
【００１４】
なお、補強壁６の裏面側には、例えば、テールアルメ工法等により、土が盛られ、その盛土中にストリップ（帯板）が挿入され摩擦力を高めて補強土を構成している。
【００１５】
次に、実施形態１の足場ブラケット等の固定用金物１０の一例を具体的に説明する。
【００１６】
図２は、実施形態１の足場ブラケット等の固定用金物１０を示す斜視図、図３は、実施形態１の足場ブラケット等の固定用金物１０の正面図、図４は、実施形態１の足場ブラケット等の固定用金物１０の背面図、図５は、実施形態１の足場ブラケット等の固定用金物１０の側面図、図６は、実施形態１の足場ブラケット等の固定用金物１０の底面図である。
【００１７】
図２〜図６に示すように、実施形態１の足場ブラケット等の固定用金物１０は、ほぼ長方形のプレート部１２の中央にナット部１１が固定されており、プレート部１２の両側端部には、ナット部１１の取り付け方向とは反対方向に突出する２つのフランジ部１３ａ，１３ｂが形成されている。
【００１８】
ここで、図２や図３等に示すように、図上左側のフランジ部１３ａは、フランジ部１３ａと同一幅の図上左上側のプレート部１２を図上表面側に折り曲げたように形成されている一方、図上右側のフランジ部１３ｂは、フランジ部１３ｂと同一幅の図上右下側のプレート部１２を図上表面側に折り曲げたように形成されている。そのため、プレート部１２の形状は、ナット部１１中心に対し点対称の形状に形成されている。なお、これとは逆に、図上左側のフランジ部１３ａを図上右下側のプレート部１２を図上表面側に折り曲げたように形成し、図上右側のフランジ部１３ｂを、図上左上側のプレート部１２を図上表面側に折り曲げたように形成するようにしても勿論よい。
【００１９】
そして、図２〜図６に示すように、実施形態１では、プレート部１２の両側端部に設けた２つのフランジ部１３ａ，１３ｂは、ナット部１１の中心を通るほぼ一直線上に形成されており、フランジ部１３ａ，１３ｂそれぞれの、図３上水平方向、すなわち図6上垂直方向の幅ｈａ，ｈｂを、ほぼナット部１１の外形ｈ１程度の幅広としている。なお、これは一例であり、ナット部１１の外形ｈ１より広くても、狭くても良いし、フランジ部１３ａ，１３ｂそれぞれの幅ｈａ，ｈｂが異なるようにしても良い。
【００２０】
また、フランジ部１３ａ，１３ｂそれぞれの，図５および図６上水平方向の突出長さｄａ，ｄｂを、ナット部１１の高さｄ１より大きくしている。なお、これは一例であり、フランジ部１３ａ，１３ｂそれぞれの突出長さｄａ，ｄｂがナット部１１の高さｄ１より小さくても、あるいは互いに異なるようにしても良いが、固定用金物１０を押さえていなくても、そのフランジ部１３ａ，１３ｂそれぞれが上下のブロック６１間の継目６２である横目地に挿入され、ボルト７と供回りしない程度の突出長さｄａ，ｄｂであることが望ましい。
【００２１】
図７は、補強壁６の盛土側（裏面側）から見た実施形態１の足場ブラケット等の固定用金物１０の使用状態の一例を示す図である。
【００２２】
図７に示すように、実施形態１の足場ブラケット等の固定用金物１０の使用状態を、補強壁６の盛土側から見ると、固定用金物１０のプレート部１２の両側端部に設けた２つのフランジ部１３ａ，１３ｂが、上下のブロック６１間の継目６２である横目地に挿入されて嵌り、固定用金物１０のナット部１１にボルト７先端が通されてネジ結合する。
【００２３】
これにより、ボルト７が回転しても、フランジ部１３ａ，１３ｂがブロック６１間の継目６２に挿入されており、ブロック６１端部に当たって回転を阻止するので、固定用金物１０はボルト７と供回りしないので、図７では図示しない補強壁６の表面側にてボルト７により足場ブラケット１を強固に補強壁６に固定できる。
【００２４】
特に、本実施形態１では、幅広でかつ突出長さの長いフランジ部１３ａ，１３ｂがブロック６１間の継目６２に確実に挿入されているので、例えば、補強壁６の裏面側に補強土が盛られ、補強土に埋まった固定用金物１０を押さえることができない状態で、ボルト７を逆回転させ、足場ブラケット１等を取り外す場合でも、固定用金物１０がボルト７と供回りすることを防止して、固定用金物１０からボルト７を抜き、足場ブラケット１等を容易に取り外すことができる。
【００２５】
なお、図７は、ブロック６１間の継目６２の方向が、図上水平方向の場合における実施形態１の足場ブラケット等の固定用金物１０の取り付け方法を示しており、ブロック６１間の継目６２の方向が、図上垂直方向の場合には、実施形態１の足場ブラケット等の固定用金物１０を、図８に示すように取り付けることができる。
【００２６】
図９は、実施形態１の足場ブラケット等の固定用金物１０におけるフランジ部１３ａ，１３ｂの形成方法の一例を示す図である。
【００２７】
図９に示すように、実施形態１の足場ブラケット等の固定用金物１０では、プレート部１２のナット部１１が設けられた面とは逆の面１２１の両側端部における、図上右下部および左上部の溶接部位１２１ａ，１２１ｂそれぞれに、アングル材のようなＬ形部材２０ａ，２０ｂの溶接部位２０ａ１，２０ｂ１を溶接することにより、ナット部１１とは反対方向に突出するフランジ部１３ａ，１３ｂを設けている。これにより、規格品（定形品）または既存のプレート部１２やアングル部材２０を使用して、実施形態１の足場ブラケット等の固定用金物１０を製作することが可能となる。
【００２８】
なお、図９に示すように、プレート部１２のナット部１１が設けられた面とは逆の面１２１の両側端部における、図上右下部および左上部の接合部１２１ａ，１２１ｂそれぞれにアングル部材２０ａ，２０ｂを溶接するのではなく、プレート部１２両側端部それぞれにアングル部材２０を溶接して実施形態１の足場ブラケット等の固定用金物１０を構成するようにしても良いし、さらにはプレート部１２を構成する金属板の両側上下に切り込みを入れた後、プレス加工等によりその両側上下の金属板を曲げ加工して、プレート部１２の両側端にフランジ部１３ａ，１３ｂを一体形成するようにしても勿論よい。なお、アングル部材２０の溶接接合によるフランジ部１３ａ，１３ｂの形成や、プレート部１２との一体形成によるフランジ部１３ａ，１３ｂの形成は、後述する他の実施形態２〜７でも同様に適用される。
【００２９】
従って、実施形態１の足場ブラケット等の固定用金物１０は、補強壁６を構成するブロック６１間の継目６２に通されたボルト７先端にネジ結合し、足場ブラケット１等を補強壁６に固定するもので、ボルト７先端にネジ結合するナット部１１と、ナット部１１が固定されたプレート部１２と、ナット部１１が固定された面とは反対側の面にほぼ直角に起立して形成されており、補強壁６に取り付けられた際、ブロック６１間の継目６２に挿入されるフランジ部１３ａ，１３ｂとを有するので、ブロック６１中の連結軸を用いることなく、足場ブラケット１等を補強壁６に取り付けることができる。
【００３０】
特に、実施形態１の足場ブラケット等の固定用金物１０には、ナット部１１の両側に、ナット部１１中心を通る直線上に伸びる幅広でかつ突出長さの長いフランジ部１３ａ，１３ｂを設けており、補強壁６を構成するブロック６１間の継目６２に通されたボルト７にネジ結合した際、幅広でかつ突出長さの長いフランジ部１３ａ，１３ｂがブロック６１間の継目６２に挿入されるようにしたため、例えば、補強壁６の裏面側に補強土が盛られ、補強土に埋まった固定用金物１０を押さえることができない状態で、足場ブラケット１等を取り外す場合でも、幅広でかつ突出長さの長いフランジ部１３ａ，１３ｂがブロック６１間の継目６２に確実に挿入され、フランジ部１３ａ，１３ｂがブロック６１間で回転を拘束するのでボルト７との供回りを防止し、足場ブラケット１等を取り外すことができる。
【００３１】
また、実施形態１の足場ブラケット等の固定用金物１０では、フランジ部１３ａ，１３ｂは、プレート部１２の両側にアングル部材２０を溶接して取り付けることもでき、規格品（定形品）または既存のプレート部１２やアングル部材２０を使用することが可能で、新規に専用の金型を製造する必要がないので、新規金型製造不要の点で、コストを削減することができる。
【００３２】
実施形態２．
なお、前記実施形態１では、図２や図３等に示すように、フランジ部１３ａ，１３ｂを、ナット部１１の中心に対し点対称になるように設けて説明したが、図１０に示す実施形態２の足場ブラケット等の固定用金物１０Ａのように、フランジ部１３ａ，１３ｂを、ナット部１１の中心を通る直線、例えば、図１０上の垂線に対し、図上左右線対称に設けるようにしても勿論よい。
【００３３】
実施形態３．
また、図１１に示す実施形態３の足場ブラケット等の固定用金物１０Ｂのように、フランジ部１３を、プレート部１２の図上左右側端の一方側にのみ設けるようにしても勿論よい。
【００３４】
実施形態４．
また、図１２（ａ），（ｂ）に示す実施形態４の足場ブラケット等の固定用金物１０Ｃのように、フランジ部１３ａ，１３ｂの図上上下部分にはプレート部１２と平行な部分を省略し、フランジ部１３ａ，１３ｂが単なる平板状のものとしても勿論よい。なお、図１２（ａ）は、実施形態４の固定用金物１０Ｃの正面、図１２（ｂ）は固定用金物１０Ｃの側面を示している。
【００３５】
実施形態５．
また、図１３（ａ）〜（ｃ）に底面を示す実施形態５〜７の足場ブラケット等の固定用金物１０Ｄ〜１０Ｆのように、フランジ部１３ａ，１３ｂ先端に、鋸歯状部１３１や、傾斜辺１３２を設けたり、さらにはフランジ部１３ａ，１３ｂの形状が、例えばＬ字状等のフック形状になるように、フック部１３３を設けるようにしても勿論よい。なお、図１３（ａ），（ｂ）の実施形態５，６の足場ブラケット等の固定用金物１０Ｄ，１０Ｅの場合、ブロック６間の継目６２等に挿入し易くなるのに対し、図１３（ｃ）の実施形態７の足場ブラケット等の固定用金物１０Ｆの場合、ブロック６間の継目６２から抜き難くなる。
【００３６】
なお、前記実施形態１〜７の説明では、プレート部１２は、ほぼ長方形状であると説明したが、本発明では、これに限らず、正方形状、三角形状でも、５角形以上の多角形状でも勿論良いし、円形状等でも勿論良い。要は、ナット部１１と、フランジ部１３ａ，１３ｂとが取り付けられるプレート部１２であれば、その大きさや、形状などは、特にかまわない。また、フランジ部１３についても同様であり、要は、プレート部１２のナット部１１が固定された面とは反対側の面に起立して形成され、補強壁６に取り付けられた際、ブロック６１間の継目６２に嵌り回転を止めるフランジ部１３であれば良い。
【００３７】
プレート１２に固定されているナット部がコンクリート板やブロックの裏側に位置し、またフランジ部１が平板状でコンクリート板等の目地内に挿入されていることで、経時的なコンクリート板等の沈下により目地間隔が小さくなった場合でも、本発明に係る固定用金物の存在が、コンクリート板等の損壊の原因となることはない。
【符号の説明】
【００３８】
１  足場ブラケット
６  補強壁
６１  ブロック
６２  継目
７  ボルト
１０，１０Ａ〜１０Ｆ  固定用金物
１１  ナット部
１２  プレート部
１３，１３ａ，１３ｂ  フランジ部
２０ａ，２０ｂ  アングル部材
【図１】
0005480610.tif 000002
【図２】
0005480610.tif 000003
【図３】
0005480610.tif 000004
【図４】
0005480610.tif 000005
【図５】
0005480610.tif 000006
【図６】
0005480610.tif 000007
【図７】
0005480610.tif 000008
【図８】
0005480610.tif 000009
【図９】
0005480610.tif 000010
【図１０】
0005480610.tif 000011
【図１１】
0005480610.tif 000012
【図１２】
0005480610.tif 000013
【図１３】
0005480610.tif 000014